(57)【要約】【課題】  簡単な機構で、帯電ローラのクリーニング手段をクリーニング時のみ帯電ローラに接触させるようにし、かつ、クリーニング時は、転写ローラ全体を確実に清掃できるようにすると共に、クリーニング手段における清掃部材の交換も容易におこなえるようにし、常にきれいな清掃部材で転写ローラのクリーニングをおこなえるようにした、電子写真装置における帯電装置を提供することが課題である。【解決手段】  帯電ローラを感光体の帯電位置より軸方向に退避移動（引き出し）可能に構成し、退避操作により、帯電ローラを感光体から離間させて回転させる機構を設けると共に、クリーニング手段は帯電ローラを退避操作した時、クリーニング手段における清掃部材が帯電ローラに当接するよう電子写真装置本体に着脱可能に取り付けた。【選択図】      図２
2005338578.tif 000002
【特許請求の範囲】
【請求項１】
感光体に接触回転しながら該感光体を帯電する帯電ローラを備えた帯電ユニットを含む電子写真プロセスユニットにおいて、
前記帯電ユニットを電子写真プロセスユニットから引き出す際に、前記帯電ローラを感光体と離間させ、前記感光体の帯電位置より帯電ローラ軸方向に退避移動させる退避操作手段と、
前記退避操作手段による退避操作過程で前記帯電ローラの軸心回りに回転させる回転機構と、
よりなることを特徴とする電子写真プロセスユニット。
【請求項２】
前記帯電ユニットは、感光体と対面する側が開口して帯電ローラ外周側と対面するごとく帯電ローラと一体的に退避操作可能に組み付けられたフレーム部を有し、
前記退避操作手段は、前記フレーム部に、前記電子写真プロセスユニット側に設けた他側離間操作部と連動して感光体と帯電ローラを離間させる一側離間操作部とで構成されていることを特徴とする請求項１記載の電子写真プロセスユニット。
【請求項３】
請求項２記載のフレーム部に前記回転機構の一側部材を設け、該一側部材が電子写真プロセスユニット側に設けた回転操作部材と前記離間部の離間操作により係合し、退避移動操作に従って回転駆動されることを特徴とする請求項２記載の電子写真プロセスユニット。
【請求項４】
感光体に接触回転しながら該感光体を帯電する帯電ローラを含む帯電ユニットからなる電子写真装置であって、
前記帯電ローラを感光体と離間させる離間手段と、
前記感光体の帯電位置より帯電ローラ軸方向に退避移動させる退避操作手段と、
前記退避操作手段による退避操作過程で前記帯電ローラの軸心回りに回転させる回転機構とが設けられていることを特徴とする電子写真装置。
【請求項５】
前記帯電ユニットは、感光体と対面する側が開口して帯電ローラ外周側と対面するごとく帯電ローラと一体的に退避操作可能に組み付けられたフレーム部を有する帯電ユニットであって、前記フレーム部と前記電子写真装置本体側に夫々感光体と帯電ローラを離間させる離間操作部が設けられ、該離間操作部の係合位置で帯電ユニット退避操作と連動して感光体と帯電ローラを離間させるように構成したことを特徴とする請求項４記載の電子写真装置。
【請求項６】
請求項５記載のフレーム部に前記回転機構の一側回転操作部材を、前記電子写真装置本体側に他側回転操作部材を夫々設け、両操作部材が前記離間手段の離間操作により係合し、退避移動操作に従って回転駆動されることを特徴とする請求項５記載の電子写真装置。
【発明の詳細な説明】
【技術分野】
【０００１】
本発明は、電子写真方式を利用した複写機、プリンタ、ファクシミリ、それらの複合機などにおける電子写真プロセスユニットと電子写真装置に係り、特に、感光体を帯電させる帯電ローラのクリーニング装置を備えた電子写真プロセスユニットと電子写真装置に関するものである。
【背景技術】
【０００２】
電子写真装置の感光体を帯電させる方法としては、コロトロンあるいはスコロトロン等のチャージャを用いたものがあるが、近年こういったコロナ放電型に比し、オゾン発生量が少なく、高圧電源が不要で帯電効率も高い等の観点から、帯電ローラのような感光体に接触する帯電部材が多く用いられるようになっている。
【０００３】
しかしながら、この帯電ローラは直接感光体と接触しているため、感光体上に残留するトナー粒子や紙紛が付着し、蓄積されて帯電ムラを発生して画像欠陥を生じたり、転写材の走行方向に平行な画像（定型フォーマットなど）を転写材に多数コピーしたとき、帯電ローラの当該部分のみが特性変化をきたして白抜けが生じるなどの問題が生じることがある。これは、トナーに含まれる酸化チタンなどの添加剤がクリーニング装置で除去されずに帯電ローラに到達して、帯電ローラの周方向に筋状に付着し、付着した部分はそうでない部分と比較して帯電特性が変化するためと考えられる。
【０００４】
そのため従来では、帯電ローラにスポンジローラや回転ブラシを接触させて表面を摺擦したり、プレード上の弾性部材を圧接させるクリーニング装置を設けることでトナー粒子を清掃することが行われている。ところが、従来のクリーニング装置では、常に清掃部材が帯電ローラ表面に接しているため、長期にわたって使用しているとトナーの外添剤や異物が噛みこみ、帯電ローラ表面を傷つけてしまうという問題があった。
【０００５】
そのため特許文献１には、帯電ローラにクリーニング部材を当接させ、相対的に軸線方向に移動させて部分的に特性変化を起こさないようにしたり、帯電ローラとクリーニング手段の少なくとも一方を感光体、ないしはクリーニング手段に対して接離する接離手段を備え、接離手段の接離動作を装置本体の回転力の伝達、停止によって行い、帯電ローラを常時清潔な状態に維持するようにした画像形成装置が示されている。
【０００６】
また、画像形成装置における画像形成を長時間停止した状態で帯電ローラを感光体に接触させておくと、導電性ゴムで構成された帯電ローラでは、軟化剤がしみ出て感光体を汚し、白抜け等の画像異状を起こすことがあるため、特許文献２には帯電ローラを、クリーニング部材から離間させると共に感光体に接触させて帯電可能にする第１の位置と、表面にクリーニング部材を接触させてクリーニングする第２の位置と、感光体とクリーニング部材の両方から離間させた第３の位置とに切り替え可能に構成し、必要なときのみ帯電ローラが感光体に当接すると共に、必要なときのみ帯電ローラをクリーニングできるようにした画像形成装置が示されている。
【０００７】
さらに特許文献３には、感光体がその周辺部品と共に一つのユニットとして構成され、このユニットが画像形成装置本体に対して着脱可能に装着される画像形成装置において、像担持体の表面を帯電処理する帯電ローラを有する帯電装置は本体側に取り付けられ、帯電ローラの表面をクリーニングするクリーニング部材は、本体に対して着脱可能なユニットに取り付けて像担持体交換時に交換するようにし、クリーニング部材のメンテナンスを容易にした画像形成装置が示されている。
【０００８】
【特許文献１】特開平６−１６１１７１号公報
【特許文献２】特開平８−２９２６２６号公報
【特許文献３】特開２０００−２４２０６３号公報
【発明の開示】
【発明が解決しようとする課題】
【０００９】
しかしながら、前記特許文献１及び２に示された技術は、いずれもクリーニング手段を帯電ローラから離間させるために複雑な機構を用いており、また、これらの部材を装置内で移動させる空間が装置内に必要となるため近年の画像形成装置の小型化に対応できないものとなっている。また特許文献３に示された画像形成装置では、クリーニング手段が像担持体交換時に交換されるからメンテナンスは容易であるが、近年の像担持体の長寿命化に伴って像担持体の交換間隔が長くなり、前述のようにトナーの外添剤や異物が噛みこみ、帯電ローラ表面を傷つけてしまうという問題が生じる恐れがある。またユーザが画像に黒筋等の異常が発生したことに気付いた場合や定期的に清掃した場合が良い場合に、簡便な方法で帯電ローラを清掃することができる清掃機構の登場が待たれていた。
【００１０】
そのため本発明においては、簡単な機構で、帯電ローラのクリーニング手段をクリーニング時のみ帯電ローラに接触させるようにし、かつ、クリーニング時は、転写ローラ全体を確実に清掃できるようにすると共に、クリーニング手段における清掃部材のみの交換も容易におこなえるようにし、常にきれいな清掃部材で転写ローラのクリーニングをおこなえるようにした、画像形成装置における帯電装置を提供することが課題である。
【課題を解決するための手段】
【００１１】
上記課題を解決するため本発明における電子写真プロセスユニットは、
感光体に接触回転しながら該感光体を帯電する帯電ローラを備えた帯電ユニットを含む電子写真プロセスユニットにおいて、
前記帯電ユニットを電子写真プロセスユニットから引き出す際に、前記帯電ローラを感光体と離間させ、前記感光体の帯電位置より帯電ローラ軸方向に退避移動させる退避操作手段と、
前記退避操作手段による退避操作過程で前記帯電ローラの軸心回りに回転させる回転機構と、
よりなることを特徴とする。
また、上記課題を解決するため本発明における電子写真装置は、
感光体に接触回転しながら該感光体を帯電する帯電ローラを含む帯電ユニットからなる電子写真装置であって、
前記帯電ローラを感光体と離間させる離間手段と、
前記感光体の帯電位置より帯電ローラ軸方向に退避移動させる退避操作手段と、
前記退避操作手段による退避操作過程で前記帯電ローラの軸心回りに回転させる回転機構とが設けられていることを特徴とする。
【００１２】
このように電子写真プロセスユニットと電子写真装置を構成することにより、帯電ローラが汚れたとき、帯電ローラを退避操作するだけで帯電ローラが感光体から離間して回転するから、帯電ローラ表面にクリーニング手段を接触させることで容易に摺擦清掃を行うことができ、簡単な機構で転写ローラ全体を確実に清掃できる、電子写真プロセスユニットと電子写真装置を提供することができる。
【００１３】
そして、前記帯電ユニットは、感光体と対面する側が開口して帯電ローラ外周側と対面するごとく帯電ローラと一体的に退避操作可能に組み付けられたフレーム部を有し、
前記退避操作手段は、前記フレーム部に、前記電子写真プロセスユニット側に設けた他側離間操作部と連動して感光体と帯電ローラを離間させる一側離間操作部とで構成されていることを特徴とする。
また、前記帯電ユニットは、感光体と対面する側が開口して帯電ローラ外周側と対面するごとく帯電ローラと一体的に退避操作可能に組み付けられたフレーム部を有する帯電ユニットであって、前記フレーム部と前記電子写真装置本体側に夫々感光体と帯電ローラを離間させる離間操作部が設けられ、該離間操作部の係合位置で帯電ユニット退避操作と連動して感光体と帯電ローラを離間させるように構成したことを特徴とする。
【００１４】
このように帯電ローラの感光体からの離間機構を構成することにより、帯電ローラの退避操作により、非常に簡単な構成にもかかわらず、確実に転写ローラを感光体から離間させることができる。
【００１５】
また、フレーム部に前記回転機構の一側部材を設け、該一側部材が電子写真プロセスユニット側に設けた回転操作部材と前記離間部の離間操作により係合し、退避移動操作に従って回転駆動されるようにし、また、ローラ表面に接触して摺擦清掃を行うクリーニング手段を電子写真装置本体側に設けることが好適な実施例である。
【発明の効果】
【００１６】
以上記載のごとく本発明になる電子写真プロセスユニットと電子写真装置は、帯電ローラを感光体の帯電位置より退避移動（引き出し）可能に構成すると共に、退避操作過程で帯電ローラを感光体から離間させる機構と帯電ローラの軸心回りに回転させる機構とが設けられ、退避操作手段による退避操作過程で前記回転機構により回転する帯電ローラ表面に、クリーニング手段を接触させること帯電ローラのクリーニング手段はクリーニング時のみ帯電ローラに接触し、従来装置のようにトナーの外添剤や異物が噛みこんで帯電ローラ表面を傷つけるという問題は生ぜず、しかも、クリーニング時には、帯電ローラが回転することによって全体を確実に清掃できる。また、クリーニング手段が帯電ローラのクリーニングが必要なときのみ感光体組付体側に取り付け可能とすることで、交換を容易におこなうことができ、非常に簡単な構成で、常にきれいなクリーニング手段で帯電ローラのクリーニングがおこなえる電子写真プロセスユニットと電子写真装置を提供することができる。
【発明を実施するための最良の形態】
【００１７】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１８】
図１は本発明が適用される電子写真装置の感光体ドラム１周辺におけるプロセスユニットの基本構成図、図２は帯電ローラとその回転機構を収容した帯電器ユニットを示した図で、（Ａ）は開放端側から見た図、（Ｂ）は電子写真装置本体に装着した状態の側面図、（Ｃ）、（Ｄ）は帯電器ユニットを電子写真装置本体から退避させるときの状態を示した図、図３は本発明を構成する着脱可能なクリーニング手段の斜視図、図４は、本発明を構成する帯電ローラユニットと電子写真装置本体側に組み込まれた感光体ドラムとの位置関係（Ａ）と、該（Ａ）に着脱可能なクリーニング手段を取り付けた状態（Ｂ）を示した図である。
【００１９】
本発明が適用される電子写真装置の感光体ドラム１周辺には、感光体ドラム１における回転方向（時計回り）に沿って露光装置であるＬＥＤユニット２、現像ユニット３、転写ローラ４、クリーニングブレード５、イレーサからなる除電手段６、帯電ローラ７が配置され、これらは個別の装置として電子写真装置を構成しても、また、電子写真プロセスユニットとしてカートリッジ形式に形成して交換可能に構成しても良い。そして周知のように、感光体ドラム１がまず除電手段６により除電され、その後帯電バイアス電源８によって帯電バイアスが印加された帯電ローラ７によって均一に帯電され、ＬＥＤユニット２により露光潜像が書込まれる。そしてその露光潜像は、現像バイアス電源９によって現像バイアスが印加された現像ユニット３における現像ローラ１０が担持したトナーでトナー画像として顕像化され、そのトナー画像が、転写バイアス電源１１によって転写バイアスが印加された転写ローラ４にて記録媒体１２に転写された後、感光体ドラム１はクリーニングブレード５にて残留トナーが除去される。
【００２０】
このように構成した本発明が適用される電子写真装置において、図２（Ａ）に帯電ローラ７とその回転機構を収容した帯電器ユニット１９を画像形成時に感光体ドラム１側に対面する開放端側から見た図に示したように、帯電ローラ７は、感光体ドラム１側が開放された直方形の帯電器フレーム２０に設けられた軸受け２１に保持されて収容され、軸２２の一端にはこの帯電ローラの回転機構である傘歯車２３が固定されている。そしてこの傘歯車２３は、帯電器フレーム２０に回転可能に保持された軸２４１に固定された傘歯車２４と噛み合い、さらにその傘歯車２４の軸２４１にはギア２５が固定されてピニオン２６と噛合している。なお、以下の説明では、傘歯車２３、２４を使った場合を例に説明するが、駆動力伝達方向を変更できればウォームギアやその他の機構を用いても良いことは勿論である。また、説明のために図２の（Ａ）における上下方向をＺ軸、左右方向をＸ軸、（Ｂ）〜（Ｄ）における上下方向をＹ軸、左右方向をＸ軸とする。
【００２１】
一方この帯電器フレーム２０は、帯電ローラ７を収容した状態で電子写真装置本体の一部として構成された感光体ドラム１を収容した感光体フレーム（一部のみを２７１及び２７２として示してある）から図２において−Ｘ方向に退避移動（引き出し）可能に構成され、電子写真装置本体に装着した状態を図２（Ａ）の＋Ｚ側から見た図２（Ｂ）に示したように、感光体フレーム２７１に設けられた板バネなどの押圧部材２８で感光体ドラム１側に押圧され、収容した帯電ローラ７が感光体ドラム１に圧接するようになっている。
【００２２】
またこの帯電器フレーム２０の感光体ドラム１に対面した側の引き出し側の端部には、帯電器フレーム２０を感光体フレームから退避移動（引き出し）させるとき、帯電ローラ７を感光体ドラム１から離間させるため、電子写真装置本体もしくは感光体フレーム２７２に設けられた傾斜部（段差）２９に対応する傾斜を有する傾斜部（段差）３０が設けられ、さらに帯電器フレーム２０の他端側を同様に感光体ドラム１から離間させると共に、感光体フレーム２７１に設けられた感光体組み付け体側回転操作部材たるラック３２に前記ピニオン２６を係合・噛合させるため、感光体フレーム（図示せず）に設けられた離間操作部たるガイドレール３１に乗り上げる、帯電器フレーム２０側離間操作部たるボス３３が設けられている。
【００２３】
そして、これら帯電ローラ７を収容した帯電器フレーム２０と感光体ドラム１とは、図２（Ｂ）における−Ｘ方向から見た図として示した図４（Ａ）に示したように、感光体フレーム２７２に感光体ドラム１が収容され、その感光体ドラム１に帯電ローラ７が圧接されるように帯電器フレーム２０が配されている。なお、帯電器フレーム２０の図２（Ｂ）における左側側面は、この図４（Ａ）に示したように、帯電器フレーム２０を電子写真装置本体から退避移動（引き出し）させるとき、帯電ローラ７が電子写真装置本体もしくは感光体フレーム２７２にぶつからないよう門型となっている。
【００２４】
また、帯電ローラ７のクリーニング装置４０は、図３にその斜視図を示したように一例として直方体に形成され、図２（Ｂ）、図４（Ａ）に示した感光体フレーム２７２に設けられた孔３４に挿入するための凸部４１を有し、発泡ウレタンスポンジなどで構成された清掃部材４２を上部に突出させて挟持できるようにするため、凸部４１を有する本体側部材４３と、その本体側部材４３に填め込む填め込み部材４４とで構成されている。
【００２５】
なお、図示の例ではクリーニング装置４０を直方体形状としたが、清掃部材４２を突出させて感光体フレーム２７２に取り付けられればこの形状にこだわるものではなく、また、本体側部材４３と填め込み部材４４とは別部材としても、例えばクリーニング装置４０下面に蝶番式の連結部材を設けて開閉式にするなどしても良い。また、清掃部材４２も、弾性のあるものであれば発泡ウレタンスポンジなどにこだわるものではなく、クリーニング装置４０を密閉式として、必要に応じて洗浄溶液、研磨剤等を備えたり、さらに、帯電ローラ７の表面を保護するための部材を備えるようにしてもよい。
【００２６】
そしてこのクリーニング装置４０は、清掃部材４２を挟持した状態で図２（Ｂ）、図４（Ｂ）に示したように、図２（Ｂ）における図上−Ｘ側から清掃部材４２が帯電ローラ７側となるようにして、凸部４１を感光体フレーム２７２に設けられた孔３４に、図２（Ｂ）の−Ｘ側から挿入して取り付ける。この取付状態を図４（Ｂ）に示した。
【００２７】
そしてこの状態から帯電ローラ７を清掃するときは、まず図２（Ｂ）における帯電器フレーム２０の図上−Ｘ側を持ち上げて、図２（Ｃ）に示したように図上−Ｘ方向に退避移動（引き出す）させる。すると帯電器フレーム２０の傾斜部３０が、感光体フレーム２７２に設けられた傾斜部２９に押圧部材２８の押圧力に抗して乗り上げ、そのために帯電器フレーム２０に収容した帯電ローラ７の−Ｘ側が感光体ドラム１から離間する。そしてこの状態で帯電器フレーム２０をさらに−Ｘ側に退避移動（引き出す）させると、今度は図２（Ｄ）に示したように、ボス３３が押圧部材２８の押圧力に抗してガイドレール３１に乗り上げ、帯電器フレーム２０に収容した帯電ローラ７の−Ｘ側が感光体ドラム１から離間すると共に、感光体フレーム２７１に設けられたラック３２にピニオン２６が噛合する。
【００２８】
そして、帯電器フレーム２０をそのまま図２における−Ｘ方向に電子写真装置本体から退避移動（引き出す）させると、ピニオン２６がラック３２との噛合によって回転し、その回転がギア２５、傘歯車２４、傘歯車２３と伝わってゆき、帯電ローラ７が回転する。なおこの回転は、清掃部材４２によって帯電ローラ７の全周が隙間無く清掃されるよう、帯電器ユニット２０が清掃部材４２の清掃幅だけ移動したとき、帯電ローラ７が略１回転するようにピニオン２６とギア２５のギア比を選択する。
【００２９】
そして、さらに帯電器フレーム２０をそのまま図２における−Ｘ方向に電子写真装置本体から退避移動（引き出す）させると、図２（Ｄ）に示したように、今度は帯電ローラ７がクリーニング装置４０における清掃部材４２に当たり、帯電ローラ７自体が回転しているため、全周に渡ってこの清掃部材４２で摺擦されてクリーニングされる。また、この動作は帯電器フレーム２０を電子写真装置本体から退避移動（引き出す）させるときだけでなく、当然のことながら帯電器フレーム２０を電子写真装置本体に装着するために押し込んだときにも行われ、帯電ローラ７は、引き出すときと逆方向に回転しながらクリーニング装置４０の清掃部材４２で摺擦される。
【００３０】
そして、ボス３３がガイドレール３１から外れたとき、帯電ローラ７におけるボス３３側端が感光体ドラム１に当接し、さらに押し込まれて図２（Ｂ）に示した位置まで入ると、帯電器フレーム２０における傾斜部３０が感光体フレーム２７１に設けられた傾斜部２９と合致するように填り、帯電器フレーム２０が押圧部材２８に押されて帯電ローラ７が感光体ドラム１に圧接されて装着される。そのため帯電ローラ７は、それを収容した帯電器フレーム２０を引き出すだけで全周がクリーニングされ、しかも、クリーニング装置４０における清掃部材４２は、クリーニング装置４０が取り外し可能であるから容易に新しいものと交換できる。なお、帯電ローラ７のクリーニングは現像装置にトナーを補給するトナーコンテナの交換時等定期的な時期に実施するのが形成画像を良好に保つ上で好ましい。またクリーニング装置４０はトナーコンテナと同梱されてユーザに供給されるのが好ましい。
【００３１】
このように電子写真装置を構成することにより、帯電ローラ７のクリーニング手段４０はクリーニング時のみ帯電ローラ７に接触し、従来装置のようにトナーの外添剤や異物が噛みこんで帯電ローラ７の表面を傷つけるという問題は生ぜず、しかも、クリーニング時には、帯電ローラ７が回転することによって全体を確実に清掃できる。また、クリーニング手段４０が感光体組付体側に設けられているから交換を容易におこなうことができ、非常に簡単な構成で、常にきれいなクリーニング手段で帯電ローラ７のクリーニングがおこなえる電子写真プロセスユニットと電子写真装置を提供することができる。
【００３２】
なお、実施例では、本発明が電子写真装置に適用させた場合で説明したが、感光体と帯電装置とクリーニング装置を含む感光体ユニット、または感光体と現像装置、帯電装置、クリーニング装置等を含むいわゆるプロセスカートリッジ等の電子写真プロセスユニットに適用可能であることはいうまでもない。
【産業上の利用可能性】
【００３３】
本発明によれば、クリーニング手段４０にトナーの外添剤や異物が噛みこんで帯電ローラ表面を傷つけるということがなく、しかも、クリーニング手段４０を構成する清掃部材４２は容易に交換できるから、常にきれいな清掃部材４２で帯電ローラ７がクリーニングされ、画像欠陥を生じたりしない電子写真装置を提供することができる。
【図面の簡単な説明】
【００３４】
【図１】本発明が適用される電子写真装置の感光体ドラム１周辺におけるプロセスユニットの基本構成図である。
【図２】帯電ローラとその回転機構を収容した帯電器ユニットを示した図で、（Ａ）は開放端側から見た図、（Ｂ）は電子写真装置本体に装着した状態の側面図、（Ｃ）、（Ｄ）は帯電器ユニットを電子写真装置本体から退避させるときの状態を示した図である。
【図３】本発明を構成する着脱可能なクリーニング手段の斜視図である。
【図４】本発明を構成する帯電ローラユニットと電子写真装置本体側に組み込まれた感光体ドラムとの位置関係（Ａ）と、該（Ａ）に着脱可能なクリーニング手段を取り付けた状態（Ｂ）を示した図である。
【符号の説明】
【００３５】
１  感光体ドラム
７  帯電ローラ
１９  帯電器ユニット
２０  帯電器フレーム
２１  軸受け
２２  軸
２３、２４  傘歯車
２５  ギア
２６  ピニオン
２７  電子写真装置本体もしくは感光体フレーム
２８  押圧部材
２９、３０  傾斜部（段差）
３１  ガイドレール
３２  ラック
３３  ボス
３４  孔
４０  クリーニング装置
４１  凸部
４２  清掃部材
【図１】
2005338578.tif 000003
【図２】
2005338578.tif 000004
【図３】
2005338578.tif 000005
【図４】
2005338578.tif 000006